(57)【特許請求の範囲】
【請求項１】
抄紙機のワイヤーの走行を案内するワイヤーロールの表面に噴射された洗浄水が、該ワイヤーロールの端面に回り込んで該端面に付着した水を除去する抄紙機用ワイヤーロールの端面用ワイパー装置において、
前記ワイヤーロールの端面に接触する、該端面の下半部の範囲に配したワイパーブレードと、
前記ワイパーブレードの下方に配設した水回収容器とからなり、
前記ワイパーブレードの長手方向を、鉛直方向に対して、ワイヤロールの端面の外周側部分が該ワイヤーロールの回転方向の下流側にずれて、該ワイパーブレードが鉛直方向に対して傾いた状態にあることを特徴とする抄紙機用ワイヤーロールの端面用ワイパー装置。
【請求項２】
前記ワイパーブレードは、その水平面への投影長さが前記水回収容器の前記ワイヤーロールの端面と平行な水平方向の内法の長さよりも小さいことを特徴とする請求項１に記載の抄紙機用ワイヤーロールの端面用ワイパー装置。
【請求項３】
前記ワイパーブレードの前記ワイヤーロールの端面に対する押付力を調整可能としてあることを特徴とする請求項１または請求項２に記載の抄紙機用ワイヤーロールの端面用ワイパー装置。
【発明の詳細な説明】
【技術分野】
【０００１】
この発明は、抄紙機のワイヤーパートにおけるロールのように、洗浄水が表面に噴霧されるロールの端面に付着した水分を除去するための装置に関する。
【背景技術】
【０００２】
抄紙機は、主としてワイヤーパートとプレスパート、ドライパート、カレンダーパート、リールパートとから構成されている。水にパルプが分散している製紙原料をストックインレットから走行する網状のワイヤー上に供給し、走行中に脱水されながら紙層が形成され、プレスパートでこの紙層から搾水され、ドライパートで乾燥され、カレンダーパートで紙厚の調整や平滑性が付与され、リールパートでリールに巻き取られて巻取紙として完成する。
【０００３】
前記ワイヤーパートに、水平方向に長い網状のワイヤーが用いられている、いわゆる長網式抄紙機がある。また、長網式抄紙機のワイヤーパートの下流部にフォーミングボックスを備えた上部側ワイヤーを配設して、当該部分で下部側ワイヤーと共に一対のワイヤーで製紙原料を挟持して走行させることにより、紙層の地合の向上を図るものがある。このワイヤーは、製紙原料が供給されながら走行し、該製紙原料を分散させている水を除去する脱水処理を施すことになり、脱水処理の際に製紙原料であるパルプ繊維が付着する。脱水処理の際に水と共にワイヤーの網目を通過してしまうパルプ繊維は、ワイヤーの移動を案内しているワイヤーロールの表面に転移することになる。このため、ワイヤーロールの表面には、付着したパルプ繊維を除去するための洗浄水がシャワー噴射されている。
【０００４】
このシャワー噴射された水がロールの表面から端部に回り込むことがあり、端面で水の膜が形成されることになる。この水膜は、ロールの回転による遠心力を受けて水滴となって周囲に飛散していた。そして、この水滴がワイヤー上の製紙原料に飛散すると、紙の欠陥を生成してしまったり、断紙の原因となっていた。
【０００５】
ロール端面に付着した水等の飛散物により生じる不都合をなくすため、この飛散物をロール端面から除去するようにした装置が提案されている（特許文献１参照）。この装置は、塗工剤を新聞用紙に塗工するゲートロールコーターにおいて、アプリケーターロール、メタリングロール、ファウンテンロールの各ロール端面には、一部がロール端面の中心側に凹となるＲに合わせた形状を成すミスト飛散防止ワイパーと、ロールの端面エッジ部に接している端面粕付着防止ワイパーとが配設されたものである。
【先行技術文献】
【特許文献】
【０００６】
【特許文献１】特許第４２１７１７６号公報
【発明の概要】
【発明が解決しようとする課題】
【０００７】
特許文献１で開示されたミスト飛散防止用ワイパーの場合には、該ワイパーで除去する飛散物が塗工剤であり、適宜な粘性を有している。しかも、ロールの端面が凹状に形成されているため、端面に付着した飛散物は容易には飛散しない。
一方、ワイヤーロールの場合には飛散物が水であるため、ワイヤーロールの遠心力の影響を受けやすく、簡単に飛散してしまう。しかも、塗工剤と比べて細かな霧状となって飛散するから、周辺の各種装置に付着するおそれがある。
【０００８】
そこで、この発明は、洗浄水がシャワー噴射されるワイヤーロールの端面に回り込んだ水を除去する抄紙機用ワイヤーロールの端面用ワイパー装置を提供することを目的としている。
【課題を解決するための手段】
【０００９】
前記目的を達成するための技術的手段として、この発明に係る抄紙機における抄紙の地合調整装置及び地合調整方法は、抄紙機のワイヤーの走行を案内するワイヤーロールの表面に噴射された洗浄水が、該ワイヤーロールの端面に回り込んで該端面に付着した水を除去する抄紙機用ワイヤーロールの端面用ワイパー装置において、前記ワイヤーロールの端面に接触する、該端面の下半部の範囲に配したワイパーブレードと、前記ワイパーブレードの下方に配設した水回収容器とからなり、前記ワイパーブレードの長手方向を、鉛直方向に対して、ワイヤロールの端面の外周側部分が該ワイヤーロールの回転方向の下流側にずれて、該ワイパーブレードが鉛直方向に対して傾いた状態にあることを特徴としている。
【００１０】
ワイヤーロールの表面に噴射された洗浄水の一部は、表面を伝わって端面に回り込む。この端面に至った水はワイヤーロールの回転により端面と共に旋回する。この旋回により前記ワイパーブレードに至ると、端面から掻き取られる。掻き取られた水は、該ワイパーブレードの下方に配された前記水回収容器に収容され、この水回収容器内の水を回収する。なお、この水回収容器をセーブオールとすると共に、連絡管を接続させて排出したり、所望の場所へ供給したりする。
【００１１】
また、ワイパーブレードを鉛直方向に対して端面の外周側部分が該端面の回転方向の下流側に位置するように配したから、該ワイパーブレードにより掻き取られる水は、確実に落下することになる。
【００１２】
また、請求項２の発明に係る抄紙機用ワイヤーロールの端面用ワイパー装置は、前記ワイパーブレードは、その水平面への投影長さが前記水回収容器の前記ワイヤーロールの端面と平行な水平方向の内法の長さよりも小さいことを特徴としている。
【００１３】
ワイパーブレードで掻き取られる水は、一部は鉛直方向に落下し、一部はワイパーブレードに沿って流れ落ちる。このため、該ワイパーブレードの投影長さの範囲が落下範囲となる。そこで、この投影長さよりも前記水回収容器の内法の長さであって、前記ワイヤーロールの端面と平行な方向の長さが大きくなるように、ワイパーブレードの傾き角度を調整する。すなわち、ワイパーブレードの鉛直方向に対する角度は、水回収容器の寸法に応じて設計することが好ましい。なお、この傾き角度を調整可能としてあれば好ましい。
【００１４】
また、請求項３の発明に係る抄紙機用ワイヤーロールの端面用ワイパー装置は、前記ワイパーブレードの前記ワイヤーロールの端面に対する押付力を調整可能としてあることを特徴としている。
【００１５】
ワイパーブレードを端面に強く押し付けてしまってはワイヤーロールの回転にとって抵抗となり好ましくなく、また、ワイパーブレードの摩耗等によりワイパーブレードと端面との間に間隙が形成されてしまっては端面に付着した水を掻き取ることができない。このため、ワイパーブレードがワイヤロールの端面に、水を掻き取るのに適宜な大きさの押付力で押し付けられるように調整可能としたものである。
【発明の効果】
【００１６】
この発明に係る抄紙機用ワイヤーロールの端面用ワイパー装置によれば、ワイヤーロールの端面に回り込んだ水を掻き取ることにより、端面に付着した水が飛散することを防止する。このため、この水の飛散による断紙の原因を除去することができる。また、水の飛散が防止されるから、ワイヤー上の製紙原料に水が付着することにより生じる紙の欠陥をなくすことができる。
【００１７】
また、請求項２の発明に係る抄紙機用ワイヤーロールの端面用ワイパー装置によれば、ワイパーブレードで掻き取られた水を確実に水回収容器に落下させることができ、水を床面に飛散させることなく確実に捕捉することができる。
【００１８】
また、請求項３の発明に係る抄紙機用ワイヤーロールの端面用ワイパー装置によれば、ワイヤーブレードを確実に端面に押し付けることができて、端面に付着している水を確実掻き取ることができる。
【図面の簡単な説明】
【００１９】
【図１】この発明に係る端面用ワイパー装置をワイヤーロールに設置した状態の概略構造を示す斜視図である。
【図２】この発明に係る端面用ワイパー装置をワイヤーロールに設置した状態の概略構造を示す正面図で一部を省略して示してある。
【図３】図２に示す端面用ワイパー装置をワイヤーロールに設置した状態の概略構造を示す左側面図である。
【図４】この発明に係る端面用ワイパー装置を装備させるワイヤーロールを説明する図で、抄紙機のワイヤーパートの一例を示している。
【発明を実施するための形態】
【００２０】
以下、図示した好ましい実施の形態に基づいて、この発明に係る抄紙機用ワイヤーロールの端面用ワイパー装置を具体的に説明する。
【００２１】
図１にはワイヤーリターンロール１にこの発明に係る端面用ワイパー装置10が配された状態を示している。このワイヤーリターンロール１は、図４に示すワイヤーパートＷにおける上側ワイヤー２を下流側で案内している。ワイヤーパートＷは抄造する紙の紙層を形成するもので、走行している下側ワイヤー３にストックインレット４から製紙原料が供給される。この下側ワイヤー３の適宜位置には前記上側ワイヤー２が臨んで配されており、製紙原料はこの位置から上側ワイヤー２と下側ワイヤー３とに挟持されて搬送されることになる。なお、下側ワイヤー３に臨んでワイヤーサクションボックス５が配され、上側ワイヤー２に臨んでフォーミングボックス６が設けられて、所望の状態で紙層が形成される。
【００２２】
前記ワイヤーリターンロール１は、上側ワイヤー２を反転させる位置に配されており、このワイヤーリターンロール１に図示しないシャワー装置により洗浄水がシャワー噴射されて、表面に付着したパルプ繊維を洗浄し除去する。
【００２３】
図１〜図３に示すように、前記ワイヤーリターンロール１の端面1aに臨んで、前記端面用ワイパー装置10が設けられている。この端面用ワイパー装置10は、ワイパーブレード11とこのワイパーブレード11の下方に配した水回収容器としてのセーブオール12とを主体として構成されている。
【００２４】
前記ワイパーブレード11は、ワイヤーリターンロール１の端面1aに接する状態で設けられている。このワイパーブレード11は、図１と図３に示すように、鉛直方向から適宜な角度に傾けて設けられており、端面1aの径方向に関して、図３上矢標Ｒで示すワイヤーリターンロール１の回転方向に対して、端面1aの外周側に臨む端部側が内周側に臨む端部側よりも下流側に位置するようにしてある。このワイパーブレード11は、取付ロッド13に取付ブラケット13aを介して支持されており、この取付ブラケット13aにワイパーブレード11の中央部を支持ロッド13bによって回動可能に支持させることにより、該ワイパーブレード11の傾き角度を調整できるようにしてある。また、取付ブラケット13aに対してワイヤーリターンロール１の軸方向に摺動可能とすることにより、ワイパーブレード11の端面1aに対する押付力を変更できるようにしてある。
【００２５】
前記セーブオール12は、前記ワイパーブレード11の下方に配されており、ワイヤーリターンロール１の軸直角方向、すなわちワイヤリターンロール１の端面に沿った内法の水平方向長さを、該ワイパーブレード11の投影長さよりも大きくしてある。すなわち、ワイパーブレード11で掻き落とされた水が、確実にセーブオール12に落下するように、該ワイパーブレード11の全域が鉛直下方のセーブオール12を臨むようにしてある。このセーブオール12の底部には連結管12aが接続されており、セーブオール12に滞留した水がこの連結管12aを通って排出されたり、所望の場所まで供給されるようにしてある。
【００２６】
以上により構成されたこの発明に係る抄紙機用ワイヤーロールの端面用ワイパー装置では、ワイヤリターンロール１の表面にシャワー噴射された洗浄水が前記端面1aに回り込む。この端面1aに回り込んで付着した水は、端面1aに伴われて旋回し、旋回途中で前記ワイパーブレード11に至ると、該ワイパーブレード11に掻き取られる。掻き取られた水はその位置で落下し、あるいは、ワイパーブレード11に沿って流れ落ち、該ワイパーブレード11の下端部から落下することになる。すなわち、ワイパーブレード11に沿って流れる水は、このワイパーブレード11が、外周側端部をワイヤーリターンロール１の回転方法の下流側としてあるから、遠心力を受けてワイパーブレード11に沿って外側に向かって円滑に流れることとなり、ワイパーブレード11の外側端部である下端部に案内されて、該下端部から落下することとなる。このワイパーブレード11の投影部には前記セーブオール12が設けられているから、ワイパーブレード11から落下する水はこのセーブオール12に落ちることになる。なお、ワイパーブレード11の傾き角度を調整することにより、該ワイパーブレード11で掻き取られた水を確実にセーブオール12に落下させることができる。また、該ワイパーブレード11の押付力を調整して、確実に水を掻き取ることができるようにする。
【００２７】
前記セーブオール12に落下して滞留した水は、連結管12aを通って排出されたり、再利用されたりする。
【産業上の利用可能性】
【００２８】
この発明に係る抄紙機用ワイヤーロールの端面用ワイパー装置によれば、ワイヤーロールの端面に臨ませてワイパーブレードを設けると共に、ワイパーブレードの下方に水回収容器を設ける構造であるから、既存のワイヤーロールに設置することができ、既設の抄紙機のワイヤーパートにおける水の飛散による紙の欠陥の発生と、断紙を確実に防止して、操業の安定性に寄与する。
【符号の説明】
【００２９】
Ｗ  ワイヤーパート
１  ワイヤーリターンロール
1a  端面
２  上側ワイヤー
３  下側ワイヤー
４  ストックインレット
10  端面用ワイパー装置
11  ワイパーブレード
12  水回収容器
12a  連結管
13  取付ロッド
13a  取付ブラケット
13b  支持ロッド
【図１】
0005558795.tif 000002
【図２】
0005558795.tif 000003
【図３】
0005558795.tif 000004
【図４】
0005558795.tif 000005